(57)【特許請求の範囲】
【請求項１】
先端に雄ネジが形成された一対のボルト部３０と、両ボルト部３０の基端部同士を連ねる梁部３１とを有し、各雄ネジを梁部３１に対向する支持体４０に挿通させた状態で、各雄ネジの先端側にナット５０を螺合させて締め付けることにより、被固定物２０を梁部３１と支持体４０との間で挟み込んで固定するためのＵボルト３であって、
前記梁部３１における湾曲した湾曲部３２を被覆する円筒状の被覆層３３が設けられ、
前記被覆層３３が樹脂繊維の編物または織物で形成されており、
ここにおいて、前記被覆層３３は第１の繊維と第２の繊維とで円筒状の編物または織物で形成され、
前記第１の繊維は前記第２の繊維に比べ金属との摩擦抵抗が小さく、一方、前記第２の繊維は前記第１の繊維よりも耐摩耗性に優れている、ことを特徴とするＵボルト。
【請求項２】
請求項１において、前記第１の繊維はフッ素樹脂であり、前記第２の繊維はポリエステルである、ことを特徴とするＵボルト。
【請求項３】
先端に雄ネジが形成された一対のボルト部３０と、両ボルト部３０の基端部同士を連ねる梁部３１とを有するＵボルト３と、
前記梁部３１に対向して設けられ、前記一対のボルト部３０の各雄ネジを挿通させた支持体４０とを備え、
前記各雄ネジの先端側にナット５０を螺合させて締め付けることにより、被固定物２０を梁部３１と支持体４０との間で挟み込んで固定する被固定物２０の固定構造であって、
前記梁部３１における湾曲した湾曲部３２をゴムまたは熱可塑性樹脂のエラストマーの筒体部３４が被覆し、
前記筒体部を被覆する円筒状の被覆層３３が設けられ、
前記被覆層３３が電気絶縁性を発揮する樹脂繊維の編物または織物で形成されており、
前記被覆層３３は第１の繊維と第２の繊維とで円筒状の編物または織物で形成され、
前記第１の繊維は前記第２の繊維に比べ金属との摩擦抵抗が小さく、一方、前記第２の繊維は前記第１の繊維よりも耐摩耗性に優れており、
前記被覆層３３の両端部の繊維が解けるのを防止する端末手段３５が設けられている、被固定物の固定構造。
【請求項４】
請求項３において、前記第１の繊維はフッ素樹脂であり、前記第２の繊維はポリエステルである、ことを特徴とする被固定物の固定構造。
【発明の詳細な説明】
【技術分野】
【０００１】
本発明は被固定物の固定構造及びこれに用いるＵボルトに関する。
【背景技術】
【０００２】
一般に、車両用、水道用、ガス用、各種プラント用及び船舶用などの各種配管及び棒材などの断面形状が円環形状又は円形形状をなす被固定物を固定する場合には、Ｕボルトが使用されている（例えば、特許文献１及び２参照）。
【０００３】
このＵボルトの典型的な例としては、図４に示すようなＵボルトを挙げることができる。図４は従来の固定構造の斜視図である。同図を参照して、従来のＵボルト３は、先端に雄ネジが形成された一対のボルト部３０と、各ボルト部３０の基端部に連続する湾曲形状の梁部３１とを有し、全体としてＵ字形状をなしている。
【０００４】
前記従来のＵボルト３を用いて被固定物としての配管２０を支持体４０に固定する場合、一般に、Ｕボルト３を、支持体４０上に載置された配管２０の上方から下方へ移動させて、配管２０を各ボルト部３０の相互間を通して梁部３１側へ導入しながら、各ボルト部３０の先端を支持体４０に挿通させた後、各雄ネジの挿通先端側（下端側）に下部ナット５０を螺合させて締め付けることにより、配管２０を梁部３１と支持体４０との間で挟み込むことが行われている。
【先行技術文献】
【特許文献】
【０００５】
【特許文献１】実開昭６１−５７２８６号公報
【特許文献２】特開平１０−２１３１１８号公報
【発明の概要】
【０００６】
前述の各種配管には流体温度や外気温変化等により伸縮が発生する。従来のＵボルトでは架台に変形や歪み、配管の亀裂等が生じる場合がある。また、配管からの振動や騒音のトラブルも生じている。
【０００７】
そこで、図４のように、支持体４０上にゴム製等のパッド４１を設け、前記不具合の改善を図っている。しかし、前記不具合は十分に改善されていない。
【０００８】
したがって、本発明の目的は、前記不具合の改善を図り得るＵボルト及び固定構造を提供することである。
【０００９】
本発明のＵボルトは、先端に雄ネジが形成された一対のボルト部３０と、両ボルト部３０の基端部同士を連ねる梁部３１とを有し、各雄ネジを梁部３１に対向する支持体４０に挿通させた状態で、各雄ネジの先端側にナット５０を螺合させて締め付けることにより、被固定物２０を梁部３１と支持体４０との間で挟み込んで固定するためのＵボルト３であって、
前記梁部３１における湾曲した湾曲部３２を被覆する円筒状の被覆層３３が設けられ、
前記被覆層３３が繊維の編物または織物で形成されている。
【００１０】
Ｕボルトの湾曲部３２に被覆された編物や織物の被覆層３３は、配管のような被固定物がＵボルトの表面に対し摺動し易くする。そのため、配管材の伸縮がスムースになり、配管の亀裂、配管からの振動や騒音などの不具合を改善し得る。
また、本Ｕボルトの被覆層３３は円筒状で全周にわたって湾曲部３２を被覆しており、そのため、激しい振動により被覆層３３が脱落するおそれがない。
【図面の簡単な説明】
【００１１】
【図１】本固定構造の一例を示す斜視図および正面図である。
【図２】図２Ａは本Ｕボルトの一例を示す斜視図、図２Ｂはパッドの一例を示す斜視図である。
【図３】同Ｕボルトの組立前の分解斜視図およびＵボルトの断面図である。
【図４】従来の固定構造の一例を示す斜視図である。
【発明を実施するための形態】
【００１２】
好ましくは、前記湾曲部３２をゴムまたは熱可塑性樹脂のエラストマーの筒体部３４が被覆し、前記被覆層３３が前記筒体部３４を被覆する。
【００１３】
この場合、エラストマーの筒体部３４と被固定物２０との間にクッションが得られ、上記振動や騒音を更に低減させることができる。
【００１４】
好ましくは、前記被覆層３３の両端部の繊維が解けるのを防止する端末手段３５が設けられている。
【００１５】
この場合、端末手段３５は被覆層３３の見栄えや耐用年数を向上させるかもしれない。
【００１６】
本発明の被固定物の固定構造としては、先端に雄ネジが形成された一対のボルト部３０と、両ボルト部３０の基端部同士を連ねる梁部３１とを有するＵボルト３と、
前記梁部３１に対向して設けられ、前記一対のボルト部３０の各雄ネジを挿通させた支持体４０とを備え、
前記各雄ネジの先端側にナット５０を螺合させて締め付けることにより、被固定物２０を梁部３１と支持体４０との間で挟み込んで固定する被固定物２０の固定構造であって、
前記梁部３１における湾曲した湾曲部３２をゴムまたは熱可塑性樹脂のエラストマーの筒体部３４が被覆し、
前記筒体部を被覆する円筒状の被覆層３３が設けられ、
前記被覆層３３が繊維の編物または織物で形成されており、
前記被覆層３３の両端部の繊維が解けるのを防止する端末手段３５が設けられている。
【００１７】
かかる固定構造は前述の利点を発揮する。
【００１８】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００１９】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００２０】
以下、本発明の実施例を添付図面に基づき詳細に説明する。
図１は本発明の実施例にかかるＵボルト３を利用した配管２０の固定構造を示す。
図１を参照して、本実施例にかかるＵボルト３は、被固定物としての水道用、ガス用、各種プラント用、及び船舶用などの各種配管２０を固定するためのものである。
【００２１】
このＵボルト３は、先端に雄ネジが形成された一対のボルト部３０と、各ボルト部３０の基端部に連続する梁部３１とを有している。梁部３１はＵ字状で、湾曲した湾曲部３２を有する。各ボルト部３０の雄ネジは、梁部３１に対向して配置された支持体４０に挿通されており、その挿通先端側にナット５０を螺合させて締め付けることにより、配管２０を梁部３１と支持体４０との間で挟み込んで固定している。
【００２２】
支持体４０は平板や溝型のチャンネルレール等を用いることができ、好ましくはパッド４１が装着される。パッド４１としては、たとえば耐候性のゴムにフッ素コーティングを施したものが好ましく、配管２０の伸縮がスムースになると共に絶縁性が発揮される。
【００２３】
図３Ｂに示すように、かかる支持体４０およびパッド４１は、配管２０に作用する垂直荷重を支持すると共に配管２０の管軸方向への移動を許容する。
【００２４】
図３Ｂに示すように、前記梁部３１における湾曲した湾曲部３２はゴムまたは熱可塑性樹脂のエラストマーの筒体部３４で被覆されている。これらのゴム又はエラストマーとしては、外力で変形し、前記外力を取り除くと元の形状に復元するゴム様の弾性体であれば、材質は限定されない。かかる筒体部３４は振動や振動音の抑制に役立つ。
【００２５】
前記筒体部３４の更に外周には、少なくとも湾曲部３２において筒体部３４を被覆する円筒状の被覆層３３が設けられている。前記被覆層３３は繊維の編物または織物で形成されている。
【００２６】
かかる被覆層３３は例えばポリテトラフルオロエチレンのようなフッ素樹脂の第１の繊維とポリエステルのような第２の繊維とで円筒状の編物または織物で形成されていてもよい。編物としては例えばブレード編が採用されてもよい。
【００２７】
すなわち、第１の繊維は第２の繊維に比べ金属等との摩擦抵抗が小さいスベリ性が良く、一方、第２の繊維は第１の繊維よりも耐摩耗性に優れた素材を採用するのが好ましい。このような異種繊維の編物等は長期間にわたって、配管２０のスムースな伸縮と電蝕防止のための電気絶縁性を発揮する。
【００２８】
本実施例の場合、Ｕボルト３は前記被覆層３３の両端部の繊維が解けるのを防止する端末手段３５が設けられている。端末手段３５としては図３Ａに示す熱収縮チューブを加熱して、両端部を締め付けてもよいし、接着剤やホットメルトを用いてもよい。
【００２９】
なお、製造時には図３Ａに示すように、筒体部３４の外周を予め被覆層３３で被覆し、被覆層３３と一体の筒体部３４をＵボルト３の一端から外嵌させてもよい。
【産業上の利用可能性】
【００３０】
本発明のＵボルトは一般に、車輌用、水道用、ガス用、各種プラント用及び船舶用などの各種配管及び棒材などの被固定物の固定構造に適用することができる。
【符号の説明】
【００３１】
３：Ｕボルト  ２０：配管（被固定物）
３０：ボルト部  ３１：梁部  ３２：湾曲部  
３３：被覆層  ３４：筒体部  ３５：端末手段
４０：支持体  ４１：パッド  ５０：ナット  
【図１】
0006461594.tif 000002
【図２】
0006461594.tif 000003
【図３】
0006461594.tif 000004
【図４】
0006461594.tif 000005